(57)【要約】      （修正有）【課題】高品質であると同時に製造コストの低い検眼枠を提供する。【解決手段】インサートレンズを収容するための２つのレンズ保持装置１２，１３と、レンズ保持装置１２，１３を、互いに対する距離を調節できるように接続するブリッジ１４と、回動可能でありかつ高さ調節可能なノーズレスト１９を有するノーズレスト装置１８と、長さおよび高さを調節可能な２つのテンプル２１，２２とを備え、ブリッジ１４とレンズ保持装置１２，１３とは、ブリッジ１４の長手方向においてレンズ保持装置１２，１３を案内するための案内手段を共に形成し、ブリッジ１４は、レンズ保持装置１２，１３の距離調節のためのねじ付きスピンドルを含むスピンドルギアを有しており、レンズ保持装置１２，１３に設けられ、ブリッジ１４に形成された案内溝に係合する案内突出部と、レンズ保持装置１２，１３に設けられたねじ部とを備え、ねじ付きスピンドルは、ねじ部に噛み合う。【選択図】図１
2017104544.tif 000002
【特許請求の範囲】
【請求項１】
対象の自覚的屈折を測定するための検眼枠（１０）であって、
インサートレンズを収容するための２つのレンズ保持装置（１２，１３）と、
上記２つのレンズ保持装置（１２，１３）を、互いに対する距離を調節できるように接続するブリッジ（１４）と、
回動可能でありかつ高さ調節可能なノーズレスト（１９）を有するノーズレスト装置（１８）と、
長さおよび高さを調節可能な２つのテンプル（２１，２２）とを備え、
上記ブリッジ（１４）と上記レンズ保持装置（１２，１３）とは、該ブリッジ（１４）の長手方向において該レンズ保持装置（１２，１３）を案内するための案内手段（７９）を共に形成し、
上記ブリッジ（１４）は、上記レンズ保持装置（１２，１３）の距離調節のためのねじ付きスピンドル（６６）を含むスピンドルギア（６５）を有しており、
各上記レンズ保持装置（１２，１３）に設けられ、上記ブリッジ（１４）に形成された案内溝（７５）に係合する少なくとも１つの案内突出部（７６，７７）と、
各上記レンズ保持装置（１２，１３）に設けられたねじ部（６９）とを備え、
上記ねじ付きスピンドル（６６）は、上記ねじ部（６９）に噛み合うように構成されている
ことを特徴とする検眼枠。
【請求項２】
請求項１において、
上記ブリッジ（１４）は、上記レンズ保持装置（１２，１３）のための平行な案内面（７３）を形成する長手方向スロット（７２）を有し、
上記案内溝（７５）は、上記案内面（７３）の少なくとも１つに形成されている
ことを特徴とする検眼枠。
【請求項３】
請求項２において、
上記長手方向スロット（７２）に隣り合って上記ブリッジ（１４）の長手方向に延びるように設けられ、上記ねじ付きスピンドル（６６）を収容するための通路ボア（７１）を備えている
ことを特徴とする検眼枠。
【請求項４】
請求項１〜３のいずれか１項において、
上記レンズ保持装置（１２，１３）に設けられた複数のクロスピース状の上記案内突出部（７６，７７）を備えている
ことを特徴とする検眼枠。
【請求項５】
請求項１〜４のいずれか１項において、
上記ブリッジ（１４）は、押出形材（７０）によって構成されている
ことを特徴とする検眼枠。
【請求項６】
請求項１〜５のいずれか１項において、
上記ねじ付きスピンドル（６６）は、内側軸受（６７）に径方向において取り付けられ、外側軸受（６８）に径方向および軸方向において取り付けられている
ことを特徴とする検眼枠。
【請求項７】
請求項６において、
上記外側軸受（６８）は、形状適合態様で上記案内溝（７５）に係合するように構成されている
ことを特徴とする検眼枠。
【請求項８】
請求項１〜７のいずれか１項において、
筒状または円錐台状に形成されていて、柔軟性プラスチック材料で一体形成された操作要素（６２）を備えている
ことを特徴とする検眼枠。
【請求項９】
請求項１〜８のいずれか１項において、
上記ブリッジ（１４）は、回動軸部（１７）によって固定接続された２つのブリッジ部（１５，１６）によって形成されており、
上記ノーズレスト装置（１８）は、上記回動軸部（１７）に回動可能に取り付けられている
ことを特徴とする検眼枠。
【請求項１０】
請求項１〜９のいずれか１項において、
上記ノーズレスト装置（１８）は、上記ノーズレスト（１９）の高さを調節するための調節ギア（２０）を有し、
上記調節ギア（２０）は、互いに噛み合う歯付きラック（８３）およびベベルウォームギア（８４）を有する
ことを特徴とする検眼枠。
【請求項１１】
請求項１〜１０のいずれか１項において、
上記レンズ保持装置（１２，１３）は、内部にレンズシート（５２，５３）が設けられた回転リング（５０，５１）を有し、
上記回転リング（５０，５１）の駆動シャフト（６１）は、偏心プラスチックリング（６４）で構成された調節可能なブレーキ手段（６３）を有する
ことを特徴とする検眼枠。
【請求項１２】
請求項１〜１１のいずれか１項において、
各上記レンズ保持装置（１２，１３）は、４つの前側レンズシート（５２，５３）および２つの後側レンズシート（５４，５５）を有する
ことを特徴とする検眼枠。
【請求項１３】
請求項１〜１２のいずれか１項において、
上記レンズ保持装置（１２，１３）の各レンズシート（５２，５３，５４，５５）は、インサートレンズをクランプするための少なくとも１つの圧力フィンガ（５９）を有し、
各上記圧力フィンガ（５９）は、上記レンズ保持装置（１２，１３）に並べて設けられていて、共有の板ばね（６０）を介した接触圧力にさらされている
ことを特徴とする検眼枠。
【請求項１４】
請求項１〜１３のいずれか１項において、
上記テンプル（２１，２２）の各テンプル端部（２５，２６）は、フレキシブルでありかつループ状に形成されている
ことを特徴とする検眼枠。
【請求項１５】
請求項１〜１４のいずれか１項において、
上記テンプル（２１，２２）の各テンプル端部（２５，２６）は、一体形成されていて、軟らかいプラスチック材料と比較的硬いプラスチック材料とから作られている
ことを特徴とする検眼枠。
【請求項１６】
請求項１〜１５のいずれか１項において、
上記テンプル（２１，２２）の前側端部（３５，３６）は、クランク状に曲がっている
ことを特徴とする検眼枠。
【請求項１７】
請求項１〜１６のいずれか１項において、
２つの偏光フィルタ装置（１１）を備えている
ことを特徴とする検眼枠。
【請求項１８】
請求項１７において、
各上記偏光フィルタ装置（１１）は、ロック接続部（４３）によって上記レンズ保持装置（１２，１３）にそれぞれ取り外し可能に取り付けられるように構成されている
ことを特徴とする検眼枠。
【請求項１９】
請求項１８において、
上記偏光フィルタ装置（１１）の保持部（４４，４５）の取付端部に一体型のばねクランプ（４６）が形成され、
上記ばねクランプ（４６）は、上記レンズ保持装置（１２，１３）が有するクロスピース（２３，２４）の裏側に係合し、
上記ばねクランプ（４６）に設けられた駆動レバー（４８）であって、該駆動レバー（４８）によって上記ばねクランプ（４６）が解放され得る駆動レバー（４８）を備えている
ことを特徴とする検眼枠。
【請求項２０】
請求項１７〜１９のいずれか１項において、
上記２つの偏光フィルタ装置（１１）は、円偏向または直線偏光フィルタ（９１）を有し、
各上記偏光フィルタ装置（１１）は、上記円偏向または直線偏光フィルタ（９１）を上記レンズ保持装置（１２，１３）の前方で内外へ回動させるための回動手段（９３）をそれぞれ有し、
各上記偏光フィルタ装置（１１）は、上記円偏向または直線偏光フィルタ（９１）を上記レンズ保持装置（１２，１３）の前方で回転させるための回転手段（９２）をそれぞれ有する
ことを特徴とする検眼枠。
【発明の詳細な説明】
【技術分野】
【０００１】
本発明は、対象の自覚的屈折を測定するための検眼枠であって、インサートレンズを収容するための２つのレンズ保持装置と、当該レンズ保持装置を、それらの互いに対する距離が調節可能となるように接続するブリッジと、回動可能かつ高さ調節可能なノーズレストを有するノーズレスト装置と、長さおよび高さを調節可能な２つのテンプルとを備え、ブリッジとレンズ保持装置とは、ブリッジの長手方向においてレンズ保持装置を案内するための案内手段を共に形成し、ブリッジは、レンズ保持装置の距離調節のためのねじ付きスピンドルを含むスピンドルギアを有する、検眼枠に関する。
【背景技術】
【０００２】
この種の検眼枠は、典型的には眼用レンズを測定するために使用される。そうするために、検眼枠は対象、すなわち人間に対して合わせられ、また容易に交換可能なインサートレンズまたは検眼レンズが検眼枠に挿入される。インサートレンズは、軸方向位置における非点収差を補正することができるように回動可能に設けられている。横方向の収差および高さ方向の収差は、プリズムによって補正されるものであって、同様に調節可能でなければならず、そのため検眼枠は対象または患者に対して正確に調節される必要がある。例えば、瞳距離が調節可能でなければならず、ここで各眼の瞳孔中心は個別に調節可能であると想定される。検眼枠の高さは、ブリッジに回動可能に設けられたノーズレストを介して調節される。ノーズレストを回動させることおよびテンプルの長さを調節することにより、検眼枠の眼に対する距離が調節され得る。様々な耳の形に対して適合可能となるように、テンプルは高さ方向および横方向に回動可能である。この種の検眼枠は、例えば特許文献１から知られている。
【先行技術文献】
【特許文献】
【０００３】
【特許文献１】欧州特許０５６７８１７号明細書
【発明の概要】
【発明が解決しようとする課題】
【０００４】
検査をする人間は、たいてい対象の頭部において検眼枠をその場で調節するであろうから、検眼枠の操作要素は、操作が容易であって、人間工学的な取扱いを可能とする態様で設けられている必要がある。同時に、検眼枠の調節の間において、検眼枠の操作によって対象が必要以上に煩わされるべきではない。例えば、対象の毛髪が検眼枠に絡まることや視界の中で手が動くことは望ましくない。
【０００５】
様々な調節オプションのために、公知の検眼枠は複数の別個の部品から構成されており、そのために検眼枠の製造が複雑になる。例えば、ノーズレストの高さ調節を可能にするには、典型的に調節ギアを必要とする。この調節ギアは、所望のギア比で回転調節動作をノーズレストの並進動作に変換するための複数のギア要素または歯車で構成されている。
【０００６】
公知の検眼枠では、レンズ保持装置が、瞳距離を調節するためにブリッジ内に設けられたねじ付きスピンドルによって移動させられる。この目的のために、スピンドルナットがレンズ保持装置に設けられている。例えば、レンズ保持装置をプラスチック射出成形プロセスで作って、このレンズ保持装置にねじ付きナットを設けることが知られている。そうするために、ねじ付きスピンドルは、金型内で射出被覆され、レンズ保持装置を型から取り出すためにねじ付きナットから外される必要がある。しかしながら、プラスチック材料の冷却または成形収縮のために、ねじ付きナットは、ねじ付きスピンドルのためのねじ山を切り直す必要性が出てくる態様で変形し得る。
【０００７】
また、いくらかの検眼枠の場合において、ブリッジは内部に溝がミル加工された金属チューブから作られる。この溝の内面は、レンズ保持装置のための長手方向ガイドとして機能し、レンズ保持装置が横方向に移動するのを可能とする。このように形成されたガイド手段は、可能な限りレンズ保持装置の矢状傾斜を防止するために比較的精確に適合する必要がある。したがって、溝のミル加工後において、ブリッジは所望のすき間嵌めを形成するために定期的に再仕上げされる必要がある。これらの必要な製造ステップは、また、比較的時間がかかるものである。
【０００８】
したがって、本発明の目的は、高品質であると同時に製造コストの低い検眼枠を提供することである。
【課題を解決するための手段】
【０００９】
この目的は、請求項１の特徴を有する検眼枠によって達成される。
【００１０】
対象の自覚的屈折を測定するための本発明に係る検眼枠は、インサートレンズを収容するための２つのレンズ保持装置と、上記２つのレンズ保持装置を、互いに対する距離を調節できるように接続するブリッジと、回動可能でありかつ高さ調節可能なノーズレストを有するノーズレスト装置と、長さおよび高さを調節可能な２つのテンプルと、円偏向または直線偏光フィルタを有する２つの偏光フィルタ装置とを備えており、各上記偏光フィルタ装置は、上記円偏向または直線偏光フィルタを上記レンズ保持装置の前方で内外へ回動させるための回動手段をそれぞれ有し、各上記偏光フィルタ装置は、上記円偏向または直線偏光フィルタを上記レンズ保持装置の前方で回転させるための回転手段をそれぞれ有し、各上記偏光フィルタ装置は、ロック接続部によって上記レンズ保持装置にそれぞれ取り外し可能に取り付けられるように構成されている。
【００１１】
以下で使用する位置や方向に関する用語は、常に、検眼枠の調節対象である対象または患者の身体または身体面に関連する。
【００１２】
したがって、案内手段は、レンズ保持装置がブリッジの長手方向において移動可能に、すなわち横方向に移動可能になるように構成されていてもよい。これにより、検眼枠を瞳距離に対して調節するためにレンズ保持装置の相対距離を調節することが可能となる。この距離調節は、少なくとも１つのねじ付きスピンドルを有するスピンドルギアを介して行われてもよい。両レンズ保持装置のためのねじ部に対して逆向きのねじ山を有する単一のねじ付きスピンドルが設けられていてもよいし、または各レンズ保持装置がそれぞれねじ付きスピンドルを有していてもよい。ねじ付きスピンドルはレンズ保持装置のねじ部に噛み合うだろう。ここで、ねじ部は解放されていてもよく、そのことは、ねじ部が、レンズ保持装置において、歯付きラックの態様で構成されているかまたはねじ穴領域を有していることを意味する。その場合、ねじ部は、例えば射出成形によって一体的に、レンズ保持装置と一体形成されていてもよい。ねじ付きスピンドルの回転動作によって、ブリッジの長手方向軸に沿ったレンズ保持装置の並進動作が生じ得る。厄介なレンズ保持装置の離型または場合によって必要なねじ部の再形成はもはや不要である。案内突出部はレンズ保持装置に設けられていてもよい。案内突出部は、好ましくは、レンズ保持装置の側面に設けられていてもよく、ここで別の案内突出部が反対側の側面に設けられていてもよいし、または複数の案内突出部が一の側面に設けられていてもよい。実際的な態様では、案内突出部はブリッジに形成され得る案内溝に係合する。レンズ保持装置の側面と接触し得る案内手段の案内面を別にして、案内突出部と案内溝とは別の案内面を形成する。この別の案内面は、ブリッジにおけるレンズ保持装置の実質的に遊びの無い案内を保証し得る。従来技術から公知のねじ付きスピンドルに対するレンズ保持装置の傾きが、これにより効果的に抑止され得る。
【００１３】
ブリッジは、レンズ保持装置のための平行な案内面を形成する長手方向スロットを有していてもよく、ここで少なくとも１つの案内面に案内溝が形成されていてもよい。長手方向スロットの案内面は、レンズ保持装置の側面と接触していてもよい。長手方向スロットは、案内面の一方または両方に設けられていてもよく、案内突出部に適合するように形成されていてもよい。案内溝は、矩形テーパ状または半円溝状に形成されていてもよい。案内溝は、したがってまた、レンズ保持装置が長手方向スロットから外れるのを抑止する。レンズ保持装置の矢状傾斜は、特に案内溝と案内突出部との間に形成される案内手段の水平案内面によって効果的に抑止され得る。長手方向スロットの特に高い適合精度は、この場合にはもはや必要とされない。
【００１４】
特に、ねじ付きスピンドルを収容するための通路ボアがブリッジの長手方向に延びるように形成されていてもよく、この通路ボアは長手方向スロットに隣り合う。長手方向スロットは、よって、通路ボア内へ突き出していてもよく、通路ボアの直径は長手方向スロットの幅と同等か当該幅よりも大きくてもよい。また、ねじ付きスピンドルがレンズ保持装置に伴って通路ボアに挿入される必要があるため、検眼枠の組み立てが大幅に簡素化される。
【００１５】
複数のクロスピース状の案内突出部がレンズ保持装置に設けられていることが特に有利である。クロスピース状の案内突出部は、レンズ保持装置の両側面に設けられていてもよい。例えば、２つの離間したクロスピース状の案内突出部が一方の側面に設けられていてもよく、１つのクロスピース状の案内突出部が他方の側面に設けられていてもよい。結果として生じる、案内手段の３つの支持点におけるレンズ保持装置の残部は、当該レンズ保持装置が案内溝に押し込まれるのを抑止する。
【００１６】
ブリッジが押出形材によって構成されている場合、検眼枠の製造が特に低コストになる。押出形材は、有利には、当初からブリッジの断面を有しており、よって押出形材の仕上げ加工は全くあるいはわずかしか必要でない。押出形材のミル加工が不要であり得るため、長手方向スロットが曲がってしまうという問題が回避される。さらに、例えば、アルミニウムまたはチタンで作られた押出形材が低コストに利用可能である。
【００１７】
ねじ付きスピンドルは、内側軸受に径方向において、外側軸受に径方向および軸方向において取り付けられていてもよい。したがって、内側軸受はねじ付きスピンドルのルーズ軸受として、外側軸受はねじ付きスピンドルの固定軸受としてそれぞれ構成されていてもよい。内側軸受は、プラスチック製のブッシュであってもよく、ねじ付きスピンドルを収容するために単にブリッジのボアに挿入される。外側軸受は、プラスチック製であってもよく、ブリッジの外側横方向端部に固定されてもよい。このねじ付きスピンドルの取付方法は、レンズ保持装置が閉じたねじ部（closed thread）を有していないために必要となる。内側軸受が単なるプラスチック製のブッシュである場合、それによって追加されるコストはレンズ保持装置の簡素化された離型によって容易に相殺される。
【００１８】
外側軸受は、形状適合態様で案内溝に係合してもよい。よって、外側軸受のラジアル回転（radial rotation）を防止すること、および外側軸受を、例えば案内溝におけるクランプ適合によって、軸方向動作に抗して固定することが可能となる。必要に応じてまた、外側軸受がねじ接続によってブリッジに固定されていてもよい。外側軸受はプラスチック射出成形によって作られてもよい。
【００１９】
検眼枠の操作要素は、筒状または円錐台状でありかつ柔軟性プラスチック材料から一体形成されている場合に特に良好に操作され得る。特に回内する２〜３本の指で円錐台状の操作要素を保持する場合、細かい調節を行うときには操作要素の錐台の最大径部を把持すればよく、速やかな調節を行うときには必要に応じて操作要素の錐台の外周面を把持すればよい。さらに、柔軟性プラスチック材料によって、操作要素は触覚的に快適な態様で握られ得るし、操作要素における指の滑りが抑止される。一体型設計のために、操作要素の製造が低コスト化され、また検眼枠の部品点数が低減される。検眼枠の駆動シャフトまたはスピンドルに操作要素を接続するために、操作要素がロック突出部またはロックくぼみへの形状適合的な差込みのためのくぼみを有していてもよい。
【００２０】
ブリッジは、回動軸部によって固定接続された２つのブリッジ部によって形成されていてもよく、ノーズレスト装置は、回動軸部に回動可能に取り付けられていてもよい。特にシンプルな実施形態では、ブリッジ部は単にピンによって接続されていてもよく、このピンは各ブリッジ部に挿入されて回動軸部を構成する。この場合、ブリッジ部の外形は、回動軸部またはノーズレスト装置の接続部から独立して形成されてもよい。ブリッジ部は、回転に抗するように単にねじによってまたは接着によって回動軸部に固定されていてもよい。この場合、回動軸部におけるノーズレスト装置の軸方向クランプのみが存在することが特に有利である。
【００２１】
ノーズレスト装置は、ノーズレストの高さを調節するための調節ギアを有していてもよく、この調節ギアは、セルフロック設計のものであってもよく、互いに噛み合う歯付きラックおよびベベルウォームギア（bevel worm wheel）を有していてもよい。ノーズレストの高さを調節するための調節ギアが歯付きラックを有しているため、歯付きラックは並進移動させられ得、よってノーズレストの高さ調節がなされる。さらに、歯付きラックは調節ギアがセルフロックされるのを容易に可能とする。歯付きラックはベベルウォームギアと噛み合っており、そのためベベルウォームギアの回転は歯付きラックの並進動作を生じさせる。ベベルウォームギアの長手方向軸に関して当該ベベルウォームギアが歯を有する円錐外径を形成しているため、このベベルウォームギアは歯付きラックに対してベベルウォームギアの長手方向軸が角度βをなすように設けられていてもよい。この角度βはベベルウォームギアの開き角αの半分に相当する。歯付きラックの長手方向の高さ調節または矢状面内でのノーズレストの高さ調節を行う場合、ベベルウォームギアは長手方向軸が遠位方向に延びるように設けられていることが好ましい。これにより、作業者の手が対象または患者の視界近傍に入ることなく、ノーズレストの高さを調節することが可能となる。さらに、対象の鼻の近傍領域において、レンズ保持装置へのインサートレンズの挿入が調節ギアの操作要素によって妨げられない。検眼枠は、このように、より取り扱い容易であって、対象にとってより煩わしくない。
【００２２】
調節ギアは、歯付きラックとベベルウォームギアとによって構成されていてもよい。この場合、調節ギアは２つの可動ギア部品のみによって構成される。よって、調節ギアの取付けが大幅に簡素化され、それにより検眼枠の製造が低コスト化され得る。ベベルウォームギアの歯は、円錐ねじ山の態様で延びていてもよい。ノーズレストは手動で調節されるため、小さな力のみが調節ギアを介して伝達される。そのため、歯付きラックおよびベベルウォームギアの歯または歯形状を形成するためにシンプルな形状が使用され得る。
【００２３】
特に有利には、ベベルウォームギアは６０〜１２０°、好ましくは９０°の開き角αを有している。ベベルウォームギアが歯付きラックに噛み合うとき、当該ベベルウォームギアは歯付きラックに対して３０〜６０°、好ましくは４５°の角度βだけ傾く。歯付きラックが実質的に縦方向において調節されるため、ベベルウォームギアが遠位方向においてまたは上向きに傾くように歯付きラック上に配置されることがさらに有利であって、それによりベベルウォームギアと接続されている操作要素が対象の鼻梁の上側に配置され得る。よって、作業者がノーズレストを調節するとき、作業者の動かす手は対象の眼の前方領域または視界内に入らないだろう。さらに、操作要素は、作業者にとって人間光学的に好ましい態様で設けられるだろうし、またインサートレンズの交換時に邪魔にならないだろう。
【００２４】
さらに、ベベルウォームギアは１〜３ｍｍ、好ましくは２ｍｍのリードを有していてもよい。よって、ノーズレストは、ノーズレスト装置の操作要素を一回転させることによって縦方向において対応する長さだけ調節され得る。
【００２５】
ベベルウォームギアは駆動シャフトに設けられていてもよく、ここで駆動シャフトは操作要素が当該駆動シャフトに直接に差し込まれ得るように構成されていてもよい。例えば、ベベルウォームギアは射出成形プロセスによって一体形成されてもよい。したがって、ベベルウォームギアはプラスチックまたは金属で作られていてもよい。概して、検眼枠の部品点数がよってさらに低減され得る。駆動シャフトの遠位端部は、この遠位端部に操作要素が形状適合態様で接続され得るように構成されていてもよい。例えば、操作要素が適合する円形セグメント状のくぼみが遠位端部に形成されていてもよい。さらに、操作要素のロック接続のためのロックくぼみまたはロック突出部が遠位端部に形成されていてもよい。
【００２６】
これにより、操作要素は、ブリッジの上側に配置され得、よって対象の視界の端または外側に配置される。
【００２７】
ノーズレスト装置は、径方向クランプ（radial clamping）によってブリッジの回動軸部に取り付けられていてもよい。この径方向クランプは、特にシンプルな態様で形成されてもよく、また例えば回動軸部を取り囲みかつスロットまたはばねを含むリングを有していてもよい。径方向クランプは、また、そのクランプ力を調節可能であってもよい。実際的な態様は、回動軸部におけるノーズレスト装置のセルフロッククランプが存在することである。
【００２８】
レンズ保持装置は、内部にレンズシートが設けられた回転リングを有していてもよく、当該回転リングの駆動シャフトは、偏心プラスチックリングで構成され得る調節可能なブレーキ手段を有していてもよい。レンズシートを有する回転リングはプラスチックまたは軽金属で作られていてもよく、駆動シャフトの歯車は回転リングに設けられた歯に噛み合っていてもよく、回転リングはよって駆動シャフトの回転によって回転可能である。この場合、駆動シャフトは、回転リングの中央に向かって延びるように設けられる。回転リングの意図しない回転を防止するために、駆動シャフトの回転抵抗が形成され得るようにプラスチックリングが駆動シャフトを取り囲んでいてもよい。プラスチックリングが偏心プラスチックリングである場合、駆動シャフトにおける当該プラスチックリングのラジアル回転を通して、回転抵抗の大小が必要に応じて設定され得る。
【００２９】
各レンズ保持装置は、４つの前側レンズシートおよび２つの後側レンズシートを有していてもよい。複数の前側および後側レンズシートは、検眼枠の特に多目的な使用法を提供する。例えば、近視、遠視および乱視を補正するための一連のインサートレンズが、例えば同時に使用可能である。各レンズシートは、周縁部でインサートレンズを支持し得る少なくとも２つまたは３つのクロスピースによって構成されていてもよい。
【００３０】
レンズ保持装置の各レンズシートは、インサートレンズをクランプするための少なくとも１つの圧力フィンガを有していてもよく、各圧力フィンガは、レンズ保持装置に並べて設けられていて、共有の板ばねを介した接触圧力にさらされていてもよい。レンズシートがクロスピースの形態で構成されている場合、１つのインサートレンズにつき１つの圧力フィンガがクロスピースの１つに設けられていてもよい。従来より、これらの圧力フィンガの各々に、ばねワイヤで作られた別個のねじりばね（leg springs）によって接触圧力を作用させることが知られている。検眼枠の部品点数を低減しかつ組み立てを簡素化するために、複数のねじりばねに代えて１つの板ばねを使用するのが有利である。このことは、圧力フィンガがレンズ保持装置において常に隣り合いかつ並んで配置されていることを必要とする。板ばねは、それぞれが１つの圧力フィンガに作用する複数のフィンガ状の板ばね部を有していてもよい。
【００３１】
テンプルの各テンプル端部は、フレキシブルでありかつループ状に形成されていてもよい。テンプルの後側テンプル端部は、有利には、鎌状または三日月状のループを形成していてもよく、当該ループは対象の頭部から検眼枠が外れるのを抑止するために耳または対耳輪の裏側に引っ掛かってもよい。テンプル端部のループ状設計は、当該テンプル端部に柔軟性を与えると共に、テンプル端部が耳にとりわけ良好に適合することを可能とし、対象にとって不快であろう耳への圧力作用を抑止する。テンプル端部の柔軟設計は、当該テンプル端部の少なくとも一部が柔軟成形可能なプラスチック材料で作られる場合に簡略化される。
【００３２】
テンプルの各テンプル端部は、一体形成されていてもよく、また軟らかいプラスチック材料と比較的硬いプラスチック材料とから作られていてもよい。後側テンプル端部が軟らかいプラスチック材料で作られ、テンプル自体の少なくとも一部が硬いプラスチック材料で作られていてもよい。プラスチック射出成形によるテンプルの製造が低コストかつシンプルであろう。軟らかいプラスチック材料は柔軟性を有していてもよく、よって対象の耳に圧力が作用するのを抑止できる。後側テンプル端部に隣接する少なくとも１つの直線テンプル部が、比較的硬いプラスチック材料で作られていてもよい。なぜなら、この直線テンプル部は比較的高剛性でなければならないためである。直線テンプル部のうち前側テンプル端部に隣接する部分は金属テンプル部であってもよい。両テンプル部は、伸縮可能に設計されていてもよい。
【００３３】
テンプルの前側端部は、クランク状に曲がっていてもよい。これにより、テンプルをレンズ保持装置に対して可能な限り深く、すなわち近位方向に設けることが可能となる。作業者は、よって、横から眼を検査することができ、また支障なく後側レンズシートにインサートレンズを入れることができる。また、作業者は、検眼枠と眼との間の距離をより容易に調節かつ測定することができる。テンプルまたはその前側端部がクランク状に曲がっているために、テンプルを水平面に対して大きく傾かせる必要がなく、このことはテンプルが通常どおり耳に適合可能であることを意味する。
【００３４】
検眼枠は、２つの偏光フィルタ装置を備えていてもよい。この場合、検眼枠は偏光フィルタ装置と一緒に使用され得る。
【００３５】
各偏光フィルタ装置は、ロック接続部によってレンズ保持装置にそれぞれ取り外し可能に取り付けられるように構成されていてもよい。偏光フィルタ装置は、検眼枠を用いた任意の視力検査に使用可能であると想定されているため、レンズ保持装置とは独立して検眼枠に取り外し可能に取り付けられ得る。この取り外し可能な取付けがロック接続部によって実現されるために、偏光フィルタ装置はとりわけ迅速かつ容易に着脱することができる。ロック接続部は、レンズ保持装置上における偏光フィルタ装置の望ましくない動きを抑止するクランプ力を作用させるように設計されていてもよい。この場合、ロック接続部は、遊びの無い接続部として構成されていてもよく、偏光フィルタ装置のとりわけ正確な操作を可能とする。
【００３６】
偏光フィルタ装置の保持部の取付端部に一体型のばねクランプが形成されていてもよく、ばねクランプは、レンズ保持装置が有するクロスピースの裏側に係合していてもよく、検眼枠は、ばねクランプまたは取付端部に設けられた駆動レバーであって、当該駆動レバーによってばねクランプが解放され得る駆動レバーを備えていてもよい。取付端部は、一体型であってもよく、全体がプラスチックで作られていてもよく、また検眼枠の部品点数をさらに低減するようにばねクランプを含んでいてもよい。取付端部は、保持部がクロスピースに引っ掛かるように、クロスピースの裏側に係合する爪で構成されていてもよい。さらに、対応するロックくぼみまたはロック突出部と係合するロック突出部またはロックくぼみが、クロスピースまたはばねクランプに設けられていてもよい。当該爪がクロスピースの端部に係合するかあるいは当該端部においてクロスピースに引っ掛かるとき、ばねクランプはクロスピースの反対側の端部に係合して当該反対側の端部とロックされてもよい。保持部およびばねクランプのレンズ保持装置およびクロスピースからのそれぞれの取り外しを簡素化するために、ばねクランプまたは取付端部に駆動レバーが設けられていてもよい。駆動レバーは、当該駆動レバーが駆動された場合にばねクランプが曲がって開いてロック接続部が解放されるように設けられてもよい。
【００３７】
２つの偏光フィルタ装置は、円偏向または直線偏光フィルタを有していてもよく、各偏光フィルタ装置は、円偏向または直線偏光フィルタをレンズ保持装置の前方で内外へ回動させるための回動手段をそれぞれ有していてもよく、各偏光フィルタ装置は、円偏向または直線偏光フィルタをレンズ保持装置の前方で回転させるための回転手段をそれぞれ有していてよい。
【００３８】
用いられる視標の偏向に応じて、円偏向フィルタまたは直線偏光フィルタが選択されてもよい。円偏向フィルタおよび直線偏光フィルタは、それぞれ、対応する視力検査を実行できるようにするために、レンズ保持装置の前方において回動手段により対象の視界の内外へ回動されてもよい。偏光フィルタ装置が直線偏光フィルタを備えている場合、この直線偏光フィルタをレンズ保持装置または対象の視界の前方で回転させるために、回転手段がさらに設けられる。回動手段は、対象の視軸に対する偏光フィルタの径方向または軸方向の回動を可能とするヒンジによって構成されていてもよい。回転手段は、対象の視軸に対する直線偏光フィルタの径方向または軸方向の回転を可能とする軸部によって構成されていてもよい。これにより、偏向の向きを変えることが可能となる。このように、偏光フィルタ装置の使用は視標の偏向に応じてフレキシブルである。
【図面の簡単な説明】
【００３９】
【図１】図１は、検眼枠の斜視図である。
【図２】図２は、偏光フィルタ装置が取り付けられた検眼枠の斜視図である。
【図３】図３は、検眼枠の前面図である。
【図４】図４は、検眼枠の背面図である。
【図５】図５は、検眼枠の側面図である。
【図６】図６は、偏光フィルタ装置が取り付けられた検眼枠の側面図である。
【図７】図７は、検眼枠の平面図である。
【図８】図８は、ねじ付きスピンドルを有するレンズ保持装置の詳細斜視図である。
【図９】図９は、レンズ保持装置およびブリッジの部分図である。
【図１０】図１０は、図９のＸ−Ｘ線に沿った断面図である。
【図１１】図１１は、図９のレンズ保持装置およびブリッジの部分側面図である。
【図１２】図１２は、図１１のXII−XII線に沿った断面図である。
【図１３】図１３は、ノーズレスト装置の底面図である。
【図１４】図１４は、ノーズレスト装置の側面図である。
【図１５】図１５は、ノーズレスト装置の背面図である。
【図１６】図１６は、ノーズレストの断面図である。
【発明を実施するための形態】
【００４０】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００４１】
図１〜図７は、様々な視点から見た検眼枠１０を示している。図２および図６では、検眼枠１０の偏光フィルタ装置１１が検眼枠１０に取り付けられている。検眼枠１０は、対象または患者（図示せず）の自覚的屈折を測定するためのものである。したがって、以下、方向および位置に関する用語は、調節された検眼枠１０を装着した対象の身体面に関連する。検眼枠１０は、インサートレンズ（図示せず）を収容するための２つのレンズ保持装置１２，１３と、当該レンズ保持装置１２，１３を横方向において互いに離して個別に調節可能に接続するブリッジ１４とを備えている。ブリッジ１４は、回動軸部１７によって互いに固定接続された２つのブリッジ部１５，１６によって形成されている。したがって、レンズ保持装置１２はブリッジ部１５に調節可能に取り付けられ、レンズ保持装置１３はブリッジ部１６に調節可能に取り付けられている。さらに、検眼枠１０は、ノーズレスト１９を有するノーズレスト装置１８を備えている。ノーズレスト装置１８またはノーズレスト１９は、ブリッジ１４またはレンズ保持装置１２，１３に対して矢状面内で回動可能となるように回動軸部１７に取り付けられている。さらに、ノーズレスト１９は、ブリッジ１４またはレンズ保持装置１２，１３に対して縦方向において高さ調節可能である。この高さ調節は調節ギア２０によって可能となっている。検眼枠１０は、さらに、レンズ保持装置１２，１３が有するクロスピース２３，２４にそれぞれ可動的に設けられた２つのテンプル２１，２２を備えている。テンプル２１，２２は、ブリッジ１４またはレンズ保持装置１２，１３に対して長さ調節可能であって、また縦方向において高さ調節可能である。
【００４２】
テンプル２１，２２は、テンプル部２７，２８とそれぞれ一体形成されたフレキシブルなテンプル端部２５，２６をそれぞれ有している。テンプル端部２５，２６は軟らかいプラスチック材料で構成されており、テンプル部２７，２８は比較的硬いプラスチック材料で構成されている。テンプル端部２５，２６は、それぞれ、射出成形プロセスによって共有金型内でテンプル部２７，２８と一体的に作られる。各テンプル端部２５，２６は、それぞれ鎌状のループ２９，３０を形成している。前側ループ部３１は耳または対耳輪と接触し、後側ループ部３２はテンプル端部２５，２６のばねの様な弾性変形を確保する。これにより、テンプル端部２５，２６は対象の耳に特に良好に適合する。各テンプル部２７，２８は、長手方向において移動可能に案内ロッド３３に接続されており、これによりテンプル２１，２２の長さ調節が可能となる。手動による長さ調節を簡略化するために、各テンプル部２７，２８に駆動突出部３４が設けられている。さらに、各テンプル２１，２２の前側端部３５，３６は、それぞれクランク部３７，３８を有している。各クランク部３７，３８は、それぞれクロスピース２３，２４の軸部３９に回動可能に取り付けられており、半透明の定規部４０，４１がクランク部３７，３８にそれぞれ取り付けられている。定規部４０，４１は、眼またはその先端に対する距離を測定するために使用され得る。クランク部３７，３８は、さらに、長手方向におけるテンプル端部２５，２６の傾斜を調節するための回動手段４２を介して案内ロッド３３に接続されている。よって、テンプル２１，２２は、３つの方向、すなわち横方向、縦方向および矢状方向において対象の頭部に対して調節され得る。
【００４３】
各偏光フィルタ装置１１は、ロック接続部４３によってレンズ保持装置１２，１３に取り外し可能に取り付けられている。偏光フィルタ装置１１の保持部４４，４５には、一体型のばねクランプ４６が形成されている。当該ばねクランプ４６は、上側保持溝４７を介してクロスピース２３，２４に係止され得る。保持溝４７とは別に、ばねクランプ４６はロック突出部（図示せず）を形成する駆動レバー４８を有している。当該ロック突出部は、それぞれクロスピース２３，２４の下側のロック突出部またはロックくぼみ（それぞれ図示せず）とロック可能であり、ばねクランプ４６はクロスピース２３，２４の裏側に係合する。プラスチックで作られた弾性ばねクランプ４６は、駆動レバー４８を押すことによってクロスピース２３，２４から分離され得る。これにより、保持溝４７を駆動レバー４８に接続するばねクランプ４６の接続部４９は、ロック接続部４３が解放されてばねクランプ４６がクロスピース２３，２４から取り外されるのに十分なほど曲がって開く。特にばねクランプ４６のばね張力によってロック接続部４３を実現することは、偏光フィルタ装置１１を遊びの無い状態でかつ容易に実行可能な態様でクロスピース２３，２４に取り付けることを可能とする。
【００４４】
各偏光フィルタ装置１１は、円偏向または直線偏光フィルタ９１を有していてもよい。ここで示す直線偏光フィルタ９１は、偏光フィルタ装置１１のヒンジ９３によってレンズ保持装置１２，１３の前方で内外へ回動可能である。さらに、偏光フィルタ９１は、直線偏光フィルタ９１の偏向方向を変えられるように、レンズ保持装置１２，１３の前方で偏光フィルタ装置１１の軸部９２回りに回転可能である。
【００４５】
各レンズ保持装置１２，１３は、それぞれ回転リング５０，５１を有しており、当該回転リング５０，５１内にはそれぞれ４つの前側レンズシート５２，５３が設けられている。さらに、２つの後側レンズシート５４，５５が、レンズ保持装置１２，１３にそれぞれ設けられている。前側レンズシート５２，５３はクロスピース５６，５７，５８によって形成されており、クロスピース５６，５７はインサートレンズ（図示せず）をクランプするための圧力フィンガ５９を有している。圧力フィンガ５９は、共有の板ばね６０を介した接触圧力にさらされている。
【００４６】
各回転リング５０，５１は、操作要素６２を有する回転可能な駆動シャフト６１を介して手動で回されてもよく、また、例えばインサートレンズのシリンダの角度に対する２．５°の目盛分割の助けを借りて調節されてもよい。回転リング５０，５１の意図しない調節を防止するために、ブレーキ手段６３が駆動シャフト６１に設けられている。ブレーキ手段６３は偏心プラスチックリング６４で構成されている。この偏心プラスチックリング６４は、駆動シャフト６１を取り囲んでいて、その駆動シャフト６１上でのラジアル回転によって駆動シャフト６１の回転抵抗の大小が任意に設定され得る。
【００４７】
図８〜図１２は、レンズ保持装置１２，１３のためのスピンドルギア６５であって、ねじ付きスピンドル６６と、内側軸受６７および外側軸受６８と、操作要素６２とを有するスピンドルギア６５を示している。ねじ付きスピンドル６６が噛み合うねじ部６９が、各レンズ保持装置１２，１３に設けられている。ねじ付きスピンドル６６の回転は、したがって、横方向におけるレンズ保持装置１２，１３の調節をもたらす。ブリッジ部１５，１６はアルミ製の押出形材７０で構成されており、当該押出形材７０には、ねじ付きスピンドル６６および内側軸受６７が挿入される通路ボア７１が形成されている。ねじ付きスピンドル６６は、レンズ保持装置１２，１３ならびに外側軸受６８および内側軸受６７を伴って通路ボア７１に単に挿入されればよい。外側軸受６８はねじ（図示せず）によって固定される。長手方向スロット７２は、レンズ保持装置１２，１３の側面７４のための平行な案内面７３を形成していて、通路ボア７１に接続されている。各案内面７３には案内溝７５が形成されている。レンズ保持装置１２，１３は案内突出部７６，７７を有しており、当該案内突出部７６，７７は案内溝７５に係合している。案内溝７５自体は、よって、案内突出部７６，７７のための案内面７８を形成する。これにより、このように形成される案内手段７９におけるレンズ保持装置１２，１３の特に安定しかつ遊びの無い案内が確保される。当該案内手段７９はとりわけ製造容易である。
【００４８】
全ての操作要素６２は、ねじ付きスピンドル６６の例により示すように、円錐台状でありかつ柔軟性プラスチック材料で一体形成されていて、駆動端部８０に単純に差し込まれている。駆動端部８０は、トルクを伝達するための適合面８１と、操作要素６２を固定するためのロックくぼみ８２とを有する。
【００４９】
図１３〜図１６は、歯付きラック８３およびベベルウォームギア８４とノーズレスト１９とを有する、ノーズレスト装置１８の調節ギア２０を示している。調節ギア２０は、ハウジング８５に収容されていて、このハウジング８５を介して回動軸部１７に接続されている。ノーズレスト装置１８は、操作要素６２の手動操作によって調節ギア２０を介して調節される。当該操作要素６２は、ベベルウォームギア８４の駆動シャフト８８に差し込まれている。ベベルウォームギア８４は、９０°の開き角αを有していて、歯付きラック８３に対して４５°の角度βをなして設けられている。結果として、ベベルウォームギア８４の操作要素６２は、常に、ブリッジ１４を通る水平面８６の上側に位置する。ノーズレスト装置１８がブリッジ１４の回動軸部１７上のハウジング８５と共に調節されるとき、ベベルウォームギア８４の長手方向軸８７は常に水平面８６に対して角度γだけ傾いている。ベベルウォームギア８４の操作要素６２は、よって常に対象の視界の外側または端に位置していて、作業者にとって容易にアクセス可能である。さらに、操作要素６２の位置は、インサートレンズ（図示せず）の交換に干渉しない。
【００５０】
ベベルウォームギア８４は、駆動シャフト８８に一体的に形成されている。操作要素６２は駆動シャフト８８に差し込まれている。歯付きラック８３は、下側端部８９において曲がっていて、収容軸部９０を有している。柔軟性プラスチック材料から作られたノーズレスト１９は、単に収容軸部９０に差し込まれている。これにより、ノーズレスト１９を必要に応じて容易に交換することができる。
【符号の説明】
【００５１】
１０    検眼枠
１１    偏光フィルタ装置
１２    レンズ保持装置
１３    レンズ保持装置
１４    ブリッジ
１５    ブリッジ部
１６    ブリッジ部
１７    回転軸部
１８    ノーズレスト装置
１９    ノーズレスト
２０    調節ギア
２１    テンプル
２２    テンプル
２３    クロスピース
２４    クロスピース
２５    テンプル端部
２６    テンプル端部
３５    前側端部
３６    前側端部
４３    ロック接続部
４４    保持部
４５    保持部
４６    ばねクランプ
４８    駆動レバー
５０    回転リング
５１    回転リング
５２    前側レンズシート（レンズシート）
５３    前側レンズシート（レンズシート）
５４    後側レンズシート（レンズシート）
５５    後側レンズシート（レンズシート）
５９    圧力フィンガ
６０    板ばね
６１    駆動シャフト
６２    操作要素
６３    ブレーキ手段
６４    偏心プラスチックリング
６５    スピンドルギア
６６    ねじ付きスピンドル
６７    内側軸受
６８    外側軸受
６９    ねじ部
７０    押出形材
７１    通路ボア
７２    長手方向スロット
７３    案内面
７５    案内溝
７６    案内突出部
７７    案内突出部
７９    案内手段
８３    歯付きラック
８４    ベベルウォームギア
９１    偏向フィルタ
９２    軸部（回転手段）
９３    ヒンジ（回動手段）
【図１】
2017104544.tif 000003
【図２】
2017104544.tif 000004
【図３】
2017104544.tif 000005
【図４】
2017104544.tif 000006
【図５】
2017104544.tif 000007
【図６】
2017104544.tif 000008
【図７】
2017104544.tif 000009
【図８】
2017104544.tif 000010
【図９】
2017104544.tif 000011
【図１０】
2017104544.tif 000012
【図１１】
2017104544.tif 000013
【図１２】
2017104544.tif 000014
【図１３】
2017104544.tif 000015
【図１４】
2017104544.tif 000016
【図１５】
2017104544.tif 000017
【図１６】
2017104544.tif 000018